(57)【要約】      （修正有）【課題】作業員の負担を軽減させ、鉄筋拘束の作業性を向上するハッカーを提供する。【解決手段】鉄筋に結束線を結い付けるハッカー１０であって、軸部１４と、前記軸部１４から略直角に屈曲し結束線を引掛ける鉤部１２と、前記軸部１４の根本側に位置する取付部１６とを有し、前記取付部１６は、電動ドリルもしくは電動ドライバ３０のチャック３４に接続可能としたことを特徴とする。本考案によれば、電動工具３０によりハッカー１０を回転させるため、作業者はハッカー１０を回転させる必要がなく、効率よく、楽に結束線の固定作業を行うことが出来る。【選択図】図１
0003194756.tif 000002
【実用新案登録請求の範囲】
【請求項１】
鉄筋に結束線を結い付けるハッカーであって、
軸部と、前記軸部から略直角に屈曲し結束線を引掛ける鉤部と、前記軸部の根本側に位置する取付部とを有し、
前記取付部は、電動ドリルもしくは電動ドライバのチャックに接続可能としたことを特徴とするハッカー。
【請求項２】
所定の長さを有し前記チャックと前記取付部とを繋ぐ連結棒を備えた延長軸をさらに有することを特徴とする請求項１記載のハッカー。
【請求項３】
所定の長さを有し先端に結束線を摘まんで保持するピンチ部を備えた補助棒をさらに有することを特徴とする請求項２記載のハッカー。
【請求項４】
前記補助棒は、延長軸を取り付けた電動ドリルもしくは電動ドライバの長さよりも長いことを特徴とする請求項３記載のハッカー。
【考案の詳細な説明】
【技術分野】
【０００１】
本考案は、鉄筋コンクリートの芯となる鉄筋に結束線を結い付けて固定するハッカーに関するものである。
【背景技術】
【０００２】
鉄筋コンクリートの芯となる鉄筋同士の固定や鉄筋コンクリートに貫通孔を形成するためのスリーブの固定には結束線を用いることが一般的であり、この結束線を固定する工具としてハッカーが用いられる。
【０００３】
ここで、従来の結束線の拘束方法を説明する。先ず、結束線は輪状部と端末側を有するものを用いる。次に、作業者が片手で結束線の端末側を掴み、結束線を２本の鉄筋の結合部の背面側に襷掛けする。次に、反対側の輪状の部分を、ハッカーの鉤部に引っ掛ける。次に、結束線を鉄筋の結合部の前面側で交差させ、この結束線をハッカーと作業者の手とにより４〜５回捻る。これにより、結束線で鉄筋の結合部を結束して、２本の鉄筋の固定を行う。
【０００４】
しかしながら、上記の結束線による固定作業は全て手作業で行われるため、作業者の負担が大きいという問題点があった。
【０００５】
そこで、ハッカーを握り部の軸線に対して所定の角度に傾け、鉤部の先端部を握り部の軸線側に向けて曲げた下記[特許文献１]に記載のハッカーが考案されている。
【先行技術文献】
【特許文献】
【０００６】
【特許文献１】実用新案登録第３０７３５５５号公報
【考案の概要】
【考案が解決しようとする課題】
【０００７】
しかしながら、上記［特許文献１］に記載の技術を用いたとしても、結束線による固定作業、特にスリーブの固定作業は、鉄筋の隙間に手を入れて作業しなければならず、作業者の腰への負担が大きいという問題点がある。また、鉄筋の拘束数は膨大であるため、多大な作業時間を要するという問題点がある。
本考案は上記事情に鑑みてなされたものであり、作業員の負担を軽減させ、鉄筋拘束の作業性を向上するハッカーを提供することを目的とする。
【課題を解決するための手段】
【０００８】
本考案は以上の目的を達成するため、鉄筋に結束線を結い付けるハッカーであって、軸部と、前記軸部から略直角に屈曲し結束線を引掛ける鉤部と、前記軸部の根本側に位置する取付部とを有し、前記取付部は、電動ドリルもしくは電動ドライバのチャックに接続可能としたことを特徴とするハッカーを提供する。
又、所定の長さを有し前記チャックと前記取付部とを繋ぐ連結棒を備えた延長軸をさらに有することを特徴とするハッカーを提供する。
加えて、所定の長さを有し先端に結束線を摘まんで保持するピンチ部を備えた補助棒をさらに有することを特徴とするハッカーを提供する。
更に、前記補助棒は、延長軸を取り付けた電動ドリルもしくは電動ドライバの長さよりも長いことを特徴とするハッカーを提供する。
【考案の効果】
【０００９】
本考案によれば、電動工具によりハッカーを回転させるため、作業者はハッカーを回転させる必要がなく、効率よく、楽に結束線の固定作業を行うことが出来る。
【００１０】
また、延長軸及び補助棒を用いることにより、作業者は鉄筋の隙間に手を差し入れることなく、狭い隙間でも正確かつ迅速に固定作業を行う事が出来る、また、作業者が屈むことなく長時間でも楽に作業を行う事が出来る。
【図面の簡単な説明】
【００１１】
【図１】本考案に係るハッカーを示す図である。
【図２】各部材を接続した状態のハッカーを示す図である。
【図３】ハッカーを用いた結束線の結束方法を説明する図である。
【図４】ハッカーを用いた結束線の結束方法を説明する図である。
【考案を実施するための形態】
【００１２】
本考案に係るハッカー１０の実施の形態について図面に基づいて説明する。図１は本考案に係るハッカー１０の各部材を示す図である。先ず、図１（ａ）に示す本考案に係るハッカー１０は、図１（ｂ）に示す電動ドリルもしくは電動ドライバ等の電動工具３０のチャック３４に接続して使用するものであり、軸部１４と、前記軸部１４から略直角に屈曲し、後述の結束線７０を引掛ける鉤部１２と、軸部１４の根本側に位置する取付部１６とを有している。また、図１（ｃ）に示す、連結棒２２を備えた延長軸２０を更に有している。加えて、図１（ｄ）に示す、ピンチ部４４を備えた補助棒４０を更に有している。
【００１３】
ここで先ず、本考案に用いる電動工具３０について説明する。図１（ｂ）に示す電動工具３０は、使用者が把持するグリップ３２と、ハッカー１０等の工具を固定して回転駆動するチャック３４と、電動工具３０に内蔵されチャック３４を回転させるモータ３６と、このモータ３６の電源となる図示しないバッテリと、グリップ３２に設置されモータ３６を回転させるスイッチ３１と、を有する。尚、電動工具３０のチャック３４は、内部にツメを有しハッカー１０や後述の延長軸２０を接続することが出来る。尚、電動工具３０は、ドリルやドライバ先等の工具を回転駆動させる市販の電動ドリル、電動ドライバ等の電動工具をそのまま利用することが出来る。
【００１４】
次に、本考案に用いるハッカー１０についてさらに詳しく説明する。図１に示すハッカー１０は、軸部１４と、結束線７０を引掛ける鉤部１２と、電動工具３０又は延長軸２０に接続する取付部１６と、を有する。
【００１５】
また、この取付部１６は、軸部１４より径の小さい凹部１６ａを備えている。そして、この凹部１６ａが電動工具３０のチャック３４もしくは後述の延長軸２０の連結チャック２８の内部のツメと噛み合うことで、ハッカー１０が電動工具３０もしくは延長軸２０に固定される。
【００１６】
ハッカー１０は、鉤部１２が軸部１４から略直角に屈曲した略L字型の形状であり、鉤部１２の先端に向かうにつれて先が細くなる。尚、鉤部１２の内側（屈曲側）は軸部１４に対し略直角に形成され、外側は弧を描くように湾曲して形成される。これは、結束線７０の輪状部７１ａに対して鉤部１２を引っ掛けやすく、また固定後の結束線７０が抜け易くするためである。
【００１７】
次に、本考案に係る延長軸２０について説明する。図１（ｃ）に示す延長軸２０は、所定の長さを有し電動工具３０によって回転する連結棒２２と、連結棒２２の一端に設けられ電動工具３０に接続するための連結取付部２６と、連結棒２２の他端に設けられハッカー１０を固定するための連結チャック２８と、を有する。尚、連結棒２２の長さには特に限定はないが、２０ｃｍ〜４０ｃｍ程度（好ましくは３０ｃｍ）とすることが好ましい。また、連結取付部２６は電動工具３０のチャック３４に接続する連結棒２２より径の小さい連結凹部２６ａを備えている。また、連結チャック２８は、連結棒２２の先端側に位置し連結チャック２８内部のツメがハッカー１０の凹部１６ａと噛み合うことで、ハッカー１０を連結棒２２に固定する。
【００１８】
尚、延長軸２０は連結棒２２を回転可能に嵌入する持手部２４を有することが望ましい。この構成によれば、仮に延長軸２０が鉄筋や作業者に当たった場合でも、連結棒２２の回転が阻害されることはない。また、この接触による事故を防止することができる。
【００１９】
次に、本考案に係る補助棒４０について説明する。図１（ｄ）に示す補助棒４０は、所定の長さを有する持ち手の棒部４２と、先端に結束線を摘まんで保持するピンチ部４４と、を有する。尚、補助棒４０の長さは、図２に示すようにハッカー１０と延長軸２０と電動工具３０を連結させたハッカーユニット８０よりも長く、５０ｃｍ〜７０ｃｍ（好ましくは６０ｃｍ）程度とすることが好ましい。
【００２０】
尚、図２に示すハッカーユニット８０は、延長軸２０の連結取付部２６が電動工具３０のチャック３４に接続され、延長軸２０の連結チャック２８にハッカー１０の取付部１６が接続されて構成されている。尚、ハッカーユニット８０の長さが足りない場合は、ハッカー１０との間にさらに別の延長軸２０を連結させることでハッカーユニット８０の長さを調整しても良い。
【００２１】
次に、本考案のハッカーユニット８０及び補助棒４０を用いた結束線の結束方法を図３、図４を用いて説明する。先ず、あらかじめハッカー１０、延長軸２０、電動工具３０を接続し、ハッカーユニット８０を構築する。次に、図３（ａ）に示すように輪状部７１ａを有する結束線７０の端末７１ｂ側を補助棒４０のピンチ部４４で摘まむ。
【００２２】
次に、補助棒４０のピンチ部４４で摘まんだ結束線７０を鉄筋の結合部の背面側に差し入れる。次に、ハッカーユニット８０をもう片方の手で持ち、図３（ｂ）に示すように、結束線７０の輪状部７１ａをハッカー１０の鉤部１２に引掛けて襷掛けにする。
【００２３】
次に、図３（ｃ）に示すように、補助棒４０で摘まんだ結束線７０の端末７１ｂ側も鉤部１２に引掛ける。
【００２４】
次に、電動工具３０のスイッチ３１をオンにする。これによりモータ３６が回転し、図４（ａ）に示すように、電動工具３０に接続したハッカー１０が回転動作する。これにより、図４（ｂ）に示すように、鉤部１２に引掛けられた結束線７０の輪状部７１ａと端末７１ｂとが一緒に捻り上げられ、鉄筋同士が固定される。これにより、結束線７０による結束作業が完了する。
【００２５】
以上のように、本考案に係るハッカー１０は、電動工具３０によりハッカー１０を回転させるため、作業者はハッカー１０を回転させる必要がなく、効率よく、楽に結束線の固定作業を行うことが出来る。
【００２６】
また、延長軸２０及び補助棒４０を用いることにより、作業者は鉄筋の隙間に手を差し入れることなく、狭い隙間でも正確かつ迅速な固定を行う事が出来る、また、作業者が屈むことなく長時間でも楽に作業を行う事が出来る。
【００２７】
尚、本例で示したハッカーユニット８０は一例であり、本考案は本考案の要旨を逸脱しない範囲で変更して実施することが出来る。
【符号の説明】
【００２８】
１０    ハッカー
１２    鉤部
１４    軸部
１６    取付部
２０    延長軸
２２    連結棒
３０    電動工具
３４    チャック
４０    補助棒
【図１】
0003194756.tif 000003
【図２】
0003194756.tif 000004
【図３】
0003194756.tif 000005
【図４】
0003194756.tif 000006
【手続補正書】
【提出日】平成26年10月2日(2014.10.2)
【手続補正１】
【補正対象書類名】実用新案登録請求の範囲
【補正対象項目名】全文
【補正方法】変更
【補正の内容】
【実用新案登録請求の範囲】
【請求項１】
鉄筋に結束線を結い付けるハッカーであって、
軸部と、前記軸部から略直角に屈曲し結束線を引掛ける鉤部と、前記軸部の根本側に位置する取付部とを有し、
前記取付部は、電動ドリルもしくは電動ドライバのチャックに接続可能としたことを特徴とするハッカー。
【請求項２】
所定の長さを有し前記チャックと前記取付部とを繋ぐ連結棒を備えた延長軸をさらに有することを特徴とする請求項１記載のハッカー。
【請求項３】
所定の長さを有し先端に結束線を摘まんで保持するピンチ部を備え、前記ハッカーの鉤部に引掛けられた結束線の逆端を保持する補助棒をさらに有することを特徴とする請求項２記載のハッカー。
【請求項４】
前記補助棒は、延長軸を取り付けた電動ドリルもしくは電動ドライバの長さよりも長いことを特徴とする請求項３記載のハッカー。
【手続補正２】
【補正対象書類名】明細書
【補正対象項目名】０００８
【補正方法】変更
【補正の内容】
【０００８】
本考案は以上の目的を達成するため、鉄筋に結束線を結い付けるハッカーであって、軸部と、前記軸部から略直角に屈曲し結束線を引掛ける鉤部と、前記軸部の根本側に位置する取付部とを有し、前記取付部は、電動ドリルもしくは電動ドライバのチャックに接続可能としたことを特徴とするハッカーを提供する。
又、所定の長さを有し前記チャックと前記取付部とを繋ぐ連結棒を備えた延長軸をさらに有することを特徴とするハッカーを提供する。
加えて、所定の長さを有し先端に結束線を摘まんで保持するピンチ部を備え、前記ハッカーの鉤部に引掛けられた結束線の逆端を保持する補助棒をさらに有することを特徴とするハッカーを提供する。
更に、前記補助棒は、延長軸を取り付けた電動ドリルもしくは電動ドライバの長さよりも長いことを特徴とするハッカーを提供する。